(57)【要約】      （修正有）【課題】  構成が簡単で容易に実現しうる口金付高圧放電ランプを提供する。【解決手段】  接続導体７が外側エンベロープ２０の外側に延在し、外側エンベロープはガラスより成っており、外側エンベロープは、ほぼ円筒状であるとともに小径部分を有し、ランプ容器１の放電空間の領域と外側エンベロープとの最小隙間が８ｍｍ以下であり、前記ランプ容器がその第１頸状部及び／又は前記外側エンベロープを以て口金３０に固着されているようにする。【選択図】図１
2006054195.tif 000002
【特許請求の範囲】
【請求項１】
イオン化可能な充填剤が収容され気密に封じられたランプ容器を有する光源であって、前記ランプ容器は、それぞれ封じ部を具え互いに対向している第１及び第２頸状部を有し、第１及び第２電流供給導体がそれぞれ前記封じ部を貫通して前記ランプ容器内に配置された一対の電極まで延在している当該光源と、
絶縁材料の口金であって、前記第１電流供給導体に接続された第１接点部材と、第２接点部材とを有する当該口金と、
前記ランプ容器の側方に沿って前記口金まで延在し、前記第２電流供給導体及び第２接点部材に接続されている接続導体と、
ほぼ同心的な管状外側エンベロープと、
を有している口金付高圧放電ランプにおいて、
前記接続導体が前記外側エンベロープの外側に延在し、この外側エンベロープはガラスより成っており、この外側エンベロープは、ほぼ円筒状であるとともに小径部分を有し、前記ランプ容器の放電空間の領域と前記外側エンベロープとの最小隙間が８mm以下であり、前記ランプ容器がその第１頸状部及び／又は前記外側エンベロープを以て前記口金に固着されていることを特徴とする口金付高圧放電ランプ。
【請求項２】
請求項１に記載の口金付高圧放電ランプにおいて、前記外側エンベロープに空気が充填されていることを特徴とする口金付高圧放電ランプ。
【請求項３】
請求項２に記載の口金付高圧放電ランプにおいて、前記外側エンベロープは、気密とならないように前記ランプ容器に結合されていることを特徴とする口金付高圧放電ランプ。
【請求項４】
請求項３に記載の口金付高圧放電ランプにおいて、前記外側エンベロープは、大気圧で空気が充填されていることを特徴とする口金付高圧放電ランプ。
【請求項５】
請求項２に記載の口金付高圧放電ランプにおいて、前記外側エンベロープは、気密となるように前記ランプ容器に結合されていることを特徴とする口金付高圧放電ランプ。
【請求項６】
請求項５に記載の口金付高圧放電ランプにおいて、前記外側エンベロープは、大気圧よりも低い圧力で且つ室温で空気が充填されていることを特徴とする口金付高圧放電ランプ。
【請求項７】
請求項１に記載の口金付高圧放電ランプにおいて、前記外側エンベロープ中に空気以外のガスを存在させる又は該外側エンベロープを真空にすることを特徴とする口金付高圧放電ランプ。
【請求項８】
請求項１〜７のいずれか一項に記載の口金付高圧放電ランプにおいて、前記小径部分が前記第２電流供給導体を囲んでいることを特徴とする口金付高圧放電ランプ。
【請求項９】
請求項８に記載の口金付高圧放電ランプにおいて、前記第２電流供給導体が外側エンベロープに対する衝合部材をこの外側エンベロープの外側に有していることを特徴とする口金付高圧放電ランプ。
【請求項１０】
請求項１〜７のいずれか一項に記載の口金付高圧放電ランプにおいて、前記外側エンベロープがその小径部分によりランプ容器の第２頸状部に結合されていることを特徴とする口金付高圧放電ランプ。
【請求項１１】
請求項１〜１０のいずれか一項に記載の口金付高圧放電ランプにおいて、前記外側エンベロープがその小径部分によりランプ容器の第１頸状部に結合されていることを特徴とする口金付高圧放電ランプ。
【請求項１２】
請求項１、２、３、４、５、６、７、１０又は１１に記載の口金付高圧放電ランプにおいて、前記外側エンベロープがそのそれぞれの小径部分によりランプ容器の双方の頸状部に結合されていることを特徴とする口金付高圧放電ランプ。
【請求項１３】
請求項１０〜１２のいずれか一項に記載の口金付高圧放電ランプにおいて、前記外側エンベロープが、頸状部の、一端が開放したほぼ管状部に結合されていることを特徴とする口金付高圧放電ランプ。
【請求項１４】
請求項１〜１３のいずれか一項に記載の口金付高圧放電ランプにおいて、前記最小隙間が２ｍｍ以下であることを特徴とする口金付高圧放電ランプ。
【発明の詳細な説明】
【技術分野】
【０００１】
本発明は、イオン化可能な充填剤が収容され気密に封じられたランプ容器を有する光源であって、前記ランプ容器は、それぞれ封じ部を具え互いに対向している第１及び第２頸状部を有し、第１及び第２電流供給導体がそれぞれ前記封じ部を貫通して前記ランプ容器内に配置された一対の電極まで延在している当該光源と、
絶縁材料の口金であって、前記第１電流供給導体に接続された第１接点部材と、第２接点部材とを有する当該口金と、
前記ランプ容器の側方に沿って前記口金まで延在し、前記第２電流供給導体及び第２接点部材に接続されている接続導体と、
ほぼ同心的な管状外側エンベロープと
を有している口金付高圧放電ランプに関するものである。
【背景技術】
【０００２】
このような口金付高圧放電ランプはドイツ連邦共和国特許出願公開第ＤＥ４１１２９１１号明細書に記載されており既知である。この既知のランプでは、外側エンベロープはランプ容器や接続導体をおおうドーム状のガラスであり、これが口金に取付けられている。この外側エンベロープの寸法、すなわちその幅や長さが大きく、点灯中温度が高くなる為に、この取付けには厳しい条件が課せられる。ランプの口金は合成樹脂から成っている為、外側エンベロープはまず最初に無機質のセメントによりセラミック体に固着される。このセメントの熱抵抗は実際に大きいも、このセメントの硬化温度も高くする必要がある。次に、このセラミック体が口金の合成樹脂部分に接合される。
【０００３】
外側エンベロープが存在することによりランプの寿命が短くなるのを防止するために、口金には数個の通気孔があけられている。外側エンベロープはこれらの通気孔を介して周囲と連通しており、ランプ容器を冷却する対流が生じる。
【０００４】
既知のランプは比較的重く、従ってその耐衝撃性及び耐振動性に対する問題を有し、しかも既知のランプの構造は比較的複雑である。上述したランプはビークルのヘッドランプとして用いることができる。
【０００５】
同様なランプはオランダ国特許出願公開第９１０１２８０号明細書から既知である。この場合も口金に孔が存在し、外側エンベロープが周囲と連通している。外側エンベロープはリムを有し、このリムの周りを合成樹脂リングが把持し、このリングが合成樹脂の口金に超音波溶接されている。この溶接箇所の近くには基準スタッドが存在し、これらの基準スタッドは、ランプをヘッドランプとしてビークルに取付ける際にこのランプを正確に位置決めするためのものであり、従って変形させたり変位させたりしてはならない為、上述した溶接には注意力を要し、危険をともなう。
【０００６】
ドイツ連邦共和国特許出願公開第ＤＥ３７４３６１２号明細書には、排気された外側エンベロープがランプ容器を真空気密に囲んでいるビークルヘッドランプとしての高圧放電ランプが開示されている。この外側エンベロープにつまみ封じ部を形成することによりランプの価格を可成り高める。又、ランプの全長も増大する。その理由は、ガラス部と金属部との間の線形熱膨脹の差を吸収する手段を外側エンベロープに存在させる必要がある為である。
【０００７】
ビークルのヘッドランプとして機能するシールドビーム形高圧放電ランプは欧州特許出願公開第ＥＰ０３７４８４６号及び米国特許第４９３５６６８号明細書に開示されており既知であり、ランプは前者では軸線方向で、後者では軸線方向又は横方向で密封リフレクタ内に装着されている。ランプ容器はジャケットにより囲まれ、このジャケットが真空気密に封じられている。
【０００８】
真空気密に封じられた外側エンベロープを有し、この外側エンベロープにより囲まれたランプ容器を懸垂する電流導体が口金から外部に導出されている高圧放電ランプは特開平３−２３３８５３号公報に開示されており既知である。
【発明の開示】
【発明が解決しようとする課題】
【０００９】
本発明の目的は、構成が簡単で容易に実現しうる前述した種類の口金付高圧放電ランプを提供せんとするにある。
【課題を解決するための手段】
【００１０】
本発明は、イオン化可能な充填剤が収容され気密に封じられたランプ容器を有する光源であって、前記ランプ容器は、それぞれ封じ部を具え互いに対向している第１及び第２頸状部を有し、第１及び第２電流供給導体がそれぞれ前記封じ部を貫通して前記ランプ容器内に配置された一対の電極まで延在している当該光源と、
絶縁材料の口金であって、前記第１電流供給導体に接続された第１接点部材と、第２接点部材とを有する当該口金と、
前記ランプ容器の側方に沿って前記口金まで延在し、前記第２電流供給導体及び第２接点部材に接続されている接続導体と、
ほぼ同心的な管状外側エンベロープと、
を有している口金付高圧放電ランプにおいて、
前記接続導体が前記外側エンベロープの外側に延在し、この外側エンベロープはガラスより成っており、この外側エンベロープは、ほぼ円筒状であるとともに小径部分を有し、前記ランプ容器の放電空間の領域と前記外側エンベロープとの最小隙間が８mm以下であり、前記ランプ容器がその第１頸状部及び／又は前記外側エンベロープを以て前記口金に固着されていることを特徴とする。
【００１１】
本発明による口金付高圧放電ランプの特徴的事項は、外側エンベロープが接続導体を囲むことなくランプ容器を囲んでいるということである。このようにした結果、外側エンベロープがランプ容器を、小さな値から極めて小さな値まで所望通りのすき間をあけて囲むようにすることができる。本発明によれば、外側エンベロープが細くなる結果外側エンベロープの質量が小さくなり、従って、衝撃や振動があった場合でも外側エンベロープを容易に適所に保持でき、従って耐衝撃性及び耐振動性が大きくなる。外側エンベロープの質量が小さくなる理由は、この外側エンベロープが細くなる為であるばかりではなく、外側エンベロープが比較的短くなる為である。その理由は、接続導体が外側エンベロープで囲まれておらず、従って接続導体と第２電流供給導体との間の接続部も外側エンベロープの外部に位置する為である。
【００１２】
本発明の他の特徴的事項は、外側エンベロープをドーム状端部を以って封じする必要がなく、単に小径にするだけであるということである。この場合、くびれ部を容易に且つ高精度に得ることができる。
【００１３】
本発明の第１の例では、前記の小径部分が第２電流供給導体を囲んでいるようにする。この小径部分は、この場合例えば、管を局部的に加熱して引き延ばしてくびれ部を形成することにより得られる。本発明のランプの外側エンベロープはこの第２電流供給導体を囲む気密封じ部を有する必要はない。従って、外側エンベロープはランプ容器とは別々に製造することができる。小径部分を貫通する第２電流供給導体は外側エンベロープを心出しし、この外側エンベロープを口金側とは反対側でランプ容器から分離させる。小径部分は第２電流供給導体を狭いすき間をあけて囲むも、第２電流供給導体の熱膨脹のための空間を依然として残し、温度が上昇した場合に外側エンベロープの不所望なひずみが生じるのを防止しうるようにすることができる。
【００１４】
本発明の更に他の特徴的事項は、外側エンベロープが存在しない状態と比べて全く或いは殆ど異ならないようにランプを形成しうるということである。外側エンベロープは所望に応じ、この外側エンベロープのないランプに単に構成素子として加えうるようにすることができる。
【００１５】
ランプ容器は口金とは反対側に電気接続部を有し、接続導体により外側エンベロープと一緒に機能的に支持されている。剛固性を必要通りに選択した接続導体はこれを第２電流供給導体に接続することにより、外側エンベロープがその長手方向に変位する可能性を制限する。この変位は反対方向では口金により制限される。口金は外側エンベロープを直接的に且つランプ容器及び接続導体を介して間接的に支持し、従って位置決めする。
【００１６】
好適な変形例では、ランプ容器の長さ、外側エンベロープの長さ及び接続導体の長さに関する公差が増大するようにする。それにもかかわらず、この変形例では、外側エンベロープが軸線方向に変位するおそれを所望通りに制限する。この変形例では、第２電流供給導体が外側エンベロープの外側にこの外側エンベロープに対する衝合部材を有するようにする。通常の好ましい衝合部材は前記の第２電流供給導体を囲む金属套管の形態のものとし、この衝合部材上で接続導体を例えば溶接により第２電流供給導体に固着する。
【００１７】
本例における外側エンベロープはその両端で支持されている為、この外側エンベロープを口金に剛固に固着させる必要はない。すなわち、外側エンベロープを口金の一部、例えば口金の縁部又は多数の突起部で囲むか或いは外側エンベロープが口金の一部を囲むようにすれば十分である。これらの手段により外側エンベロープを横方向及び長手方向に固定させることができる。
【００１８】
第２電流供給導体と接続導体との間を接続する前に、外側エンベロープをランプ容器にかぶせることにより、外側エンベロープがランプ容器を囲むようにすることができる。次に、第２電流供給導体と接続導体との間の接続を行なって固着を達成し、この際場合に応じ衝合部材を設ける。
【００１９】
がたがたする異常音を防止するためには、口金と外側エンベロープとが、又第２電流供給導体と外側エンベロープとが適切に共働するようにするのが好ましい。外側エンベロープ中の対流は必要でなく不所望である場合もある為、外側エンベロープは実際には殆どの場合密封させることができる。
【００２０】
しかし、口金付高圧放電ランプの組立てに当っては少数の素子のみを互いに連結させるようにするのが有利である。好適な例では、本発明による口金付高圧放電ランプが、ランプ容器の頸状部に結合させた小径部分を有する外側エンベロープを具えるようにする。本例のランプの製造に当っては、ほぼ円筒状のガラス管をランプ容器にかぶせ、このガラス管の一部分を加熱してこの一部分を軟化させる。次に、この軟化部分をつぶし、すなわち工具により、頸状部の方向に押圧し、小径部分を形成する。このようにしてランプ容器との機械的な結合を達成する。この処理は気密で行なう必要はない。
【００２１】
例えば、外側エンベロープを、第１頸状部の、一端が開放したほぼ円筒状の部分に押圧してつぶすことにより、外側エンベロープを第１頸状部に結合するのが好ましい。この場合、口金は、ランプ容器を固着させるために外側エンベロープを、又はランプ容器を、又はこれらの双方を押圧するようにしうる。機械的には、口金が頸状部よりも大きな直径を持つ外側エンベロープを押圧するようにするのが好ましい。或いはまた、小径部分が外側エンベロープを、第２頸状部に、例えばその一端が開放したほぼ円筒状の部分に結合させるようにすることができる。この場合、例えば前記の第１の例のように外側エンベロープを口金によって支持することもできる。
【００２２】
他の好適例では、２つの頸状部の各々と共働する小径部分を設ける。この場合、光源及びその外側エンベロープが極めて頑状なユニットを構成する。種々に変更を加えた第２の例では、気密、溶融処理を行なうことなく良好な機械的結合を達成しうるという利点を得る。ランプ容器を封じる際このランプ容器を可成りの範囲に亘って局部的に軟化させる必要がある。この場合、実際には避ける必要のある変形がランプ容器に生じるおそれがある。外側エンベロープには空気を充填するのも有利である。このようにすることにより、外側エンベロープ中に他のガスを存在させるか外側エンベロープを真空にする場合に必要となる複雑な製造工程を回避できる。
【００２３】
ランプ容器の最大温度を比較的低くするには、外側エンベロープが狭い間隔で、例えばあらゆる側で約０．１ｍｍ又はそれ以下のすき間をあけてランプ容器を囲むようにするのが好ましいということを確かめた。或いはまた、外側エンベロープのすき間を１０分の数ミリメートルから数ミリメートル、例えば６ｍｍの範囲とすることができる。約２ｍｍまで、特に約１．５ｍｍまでのすき間が好ましい。この場合、ランプの発光出力を外側エンベロープのないランプ又は通気孔のある外側エンベロープを有するランプに比べて高くなるということを確かめた。このような発光出力の増大は、例えばランプ容器の最大温度以外のファクタがランプの寿命を決定する場合に好ましいものとなる。
【００２４】
外側エンベロープをほぼ円筒状にすることによる利点は、ランプ容器に結合する以前に外側エンベロープを整形する必要がないということである。放電空間を囲むランプ容器の最も幅広な部分からの外側エンベロープのすき間を小さくするということは、外側エンベロープをランプ容器に結合するのに外側エンベロープがほんのわずかの距離を橋絡する必要があるということを意味する。
【００２５】
外側エンベロープは例えば石英ガラス又は溶融温度の高いその他のガラス、例えば９５重量％以上のＳｉＯ２を含むガラスから造ることができる。外側エンベロープは放射選択透過性とするか或いは外側エンベロープがこのような特性、例えばＵＶ吸収、ＩＲ反射又は有色光透過特性の被膜を有するようにすることができる。
【００２６】
本発明による高圧放電ランプは、キセノン、アルゴンのような希ガス又はこれら希ガスの混合ガスのイオン化可能な充填剤を、例えば室温で数ミリバールから数バールまでの圧力で有するようにしうる。この充填剤は更に水銀及びハロゲン化金属の双方又はいずれか一方をも有するようにしうる。本発明によるランプはビークルのヘッドランプとして用いることができるも、例えば水平位置、特に光学系、例えばリフレクタ中で同軸的とした水平位置以外の位置にする他の分野にも適している。
【００２７】
口金は例えば合成樹脂例えば、ポリエーテルイミド、ポリエーテルスルホン、ポリフェニレンスルフィド、ポリエーテルケトン、ポリプロピレンオキシド、ポリアミドイミド、ポリイミド、ポリブチレンテレフタレートの中から選択した樹脂のような熱可塑性樹脂から造ることができ、これにはチョーク又はガラスのような粉末又は繊維物質を加えることができる。
【発明を実施するための最良の形態】
【００２８】
図１に示す本発明の口金付高圧放電ランプは、イオン化可能な充填剤が収容され気密に封じられたランプ容器１′を有する光源１を具えており、このランプ容器は、それぞれ封じ部を具え互いに対向している第１及び第２頸状部２及び３を有し、第１及び第２電流供給導体４及び５がそれぞれ前記の封じ部を貫通してランプ容器の放電空間９内に配置されている一対の電極６に到達している。ランプ容器１′はその第１頸状部２を以って絶縁材料、例えば合成樹脂の口金３０に固着されている。この目的のために欧州特許出願公開第０４７８０５８号（特開平４−２３３１２３号公報）に開示された手段を用いることができる。口金は、第１電流供給導体４に接続された第１接点部材３５と、第２接点部材３６とを有している。接続導体７はランプ容器１′の側方に沿って延在し、第２電流供給導体５及び第２接点部材３６に接続されている。ランプ容器１′は、空気が充填されたほぼ同心的な管状外側エンベロープ２０を有している。
【００２９】
接続導体７は、ほぼ同筒形の外側エンベロープ２０の外側に延在し、この外側エンベロープは光源１を囲む小径部分２１を有する外側エンベロープ２０の外側に延在している。
【００３０】
第２電流供給導体５は外側エンベロープ２０の外側でこの外側エンベロープに対する衝合部材２２、図ではこの第２電流供給導体を挿通させた金属套管を有し、この衝合部材上で接続導体７との溶接が達成されている。
【００３１】
図１の導体７は、ランプ容器１′の側方で例えばＡｌ２Ｏ３又はステアタイトより成る絶縁体８で囲まれている。或いはまた、導体７自体を絶縁体、例えばＺｒＯ２又はＡｌ２Ｏ３で被覆したり、何も被覆しないようにすることもできる。合成樹脂の口金３０は、リム３２が設けられた絶縁材料、例えばセラミック材料の蓋３１を有する。この蓋は、口金を局部的にすなわち、この口金におけるピン３７を超音波変形することにより固着させる。外側エンベロープ２０は一方では口金、すなわちその蓋により、他方では第２電流供給導体５及び衝合部材２２により心出しされて適所に保持され、接続導体７により支持される。口金３０は、リム３９の内側の中心に位置する第１接点部材３５と、リム３９の外側に位置する環状の第２接点部材３６とを有する。口金はスタッド３８を有し、これらスタッドはコネクタと共働して差込結合を達成しうる。
【００３２】
本発明の変形例を示す図２において、図１と同一部分には同じ符号を付してある。外側エンベロープ２０′は図１の場合よりも大きなすき間をあけてランプ容器を囲んでいる。口金４０はシェル４３を有し、このシェルからケーブルが外部に導出される。このシェルは口金の第１接点部材４５及び第２接点部材４６を有する。口金の蓋４１にはランプ容器に対向して溝４２が形成されており、この溝内に、接続導体７と第２電流供給導体５との接続部により外側エンベロープ２０′が挿入せしめられている。
【００３３】
一具体例では、ランプ容器に水銀と希ガスとハロゲン化金属とのイオン化可能な充填剤、例えば水銀と沃化ナトリウム及び沃化スカンジウムとキセノン、例えば室温で７バールの圧力としたキセノンとのイオン化可能な充填剤を入れ、ランプ容器の最大外径を放電空間の領域で６ｍｍとした。高圧放電ランプは点灯中３５Ｗの電力を消費する。このランプには、壁厚が１ｍｍで種々の内径（Ｉ．Ｄ．）のものから選択した石英ガラス外側エンベロープを設けた。この具体例のランプを定格電力で水平位置にして点灯させた。そして、光束（φ）とランプ容器の最大温度（Ｔmax ）とを測定した。そして、外側エンベロープを有さない同様なランプ（Ｅx ０）と比較した。その結果を以下の表に示す。
【００３４】
【表１】
2006054195.tif 000003
【００３５】
上記の表は、水平点灯位置での最大温度、すなわち、電極を相互接続する仮想のラインよりも上側の温度と光束とは放電空間９の領域で外側エンベロープの内側にランプ容器１′が有するすき間（０．５×〔Ｉ．Ｄ．−６〕）に依存するということを示している。
【００３６】
放電ランプＥx ０に比べた放電ランプＥx １〜Ｅx ４における光束の増大は、最大温度の箇所よりも下側の箇所におけるランプ容器の最低温度を上昇せしめ、これによりランプ中の蒸気圧を高くすることによるものである。ランプＥx １及びＥx ２におけるランプ容器の最大温度は、外側エンベロープ中の対流を可能とする手段を設けていないにもかかわらず、ほんのわずかしか上昇しない。この程度の温度上昇は例えば数千時間の中位の寿命を有するランプにとって欠点となるものではない。光束は、約２ｍｍ又はそれ以下の、特に１．５ｍｍ又はそれ以下の小さなすき間を有するランプの場合更に増大し（ランプＥx ２及びＥx ３を参照）、しかも最大温度は比較的低くなる。このことはランプ容器温度の均一化が高程度となることによる。すなわち、ランプ容器の上側部分における最大温度がランプ容器の下側部分における温度に比較的接近する。光束は外側エンベロープのない場合よりも約１７％増大し、ランプ容器の熱的負荷はそれほど大きくならない。１０分の数ｍｍのすき間では（ランプＥx ４）、最大温度が殆ど変化せずに光束が化成り増大する。すき間が極めて狭く、約０．１ｍｍ以下（ランプＥx ５）の場合には、ランプＥx ０の場合よりも温度が低くなって光束は変化しない。このランプは、寿命を比較的長くする必要のあるランプに有効である。光束が同じで最大温度Ｔmax が低くなることから明らかなように、このランプ中の温度が均一化され、冷却効果が高められたことが分る。
【００３７】
図３の本発明放電ランプの例においても前述した例に対応する部分に同じ符号を付した。本例の場合、ほぼ円筒形の外側エンベロープ５０がその小径部分５２，５１によりランプ容器１′の頸状部２，３にそれぞれ結合されている。これらの小径部分５２，５１はわずかな距離で頸状部２，３に橋絡するようにする必要がある。図３では、外側エンベロープ５０が小径部分５２より第１頸状部２の、一端が開放したほぼ円筒状の管状部２′に直接結合されているばかりではなく、小径部分５１により第２頸状部３に直接結合されている。第１頸状部２には封じ部１０が存在する。第２頸状部は同様な封じ部によりほぼ完全に占められており、小さな管状部３′のみを有する。第１頸状部２は封じ部１０に続いて、一端が開放したほぼ円筒状の管状部を有し、この管状部上に金属套管５３が固着され、この金属套管上で口金に対する固着を達成しうる。しかし、この套管を他の寸法とした場合には、外側エンベロープ５０の周りを、或いは小径部分５２を越えて延在させるこの外側エンベロープの管状延長部の周りをこの套管が把持するようにすることができる。
外側エンベロープと頸状部との結合を気密にしない場合には大気圧で、結合を気密に行なう場合には大気圧よりも低い圧力で且つ室温で空気を外側エンベロープ５０の内側の空間に充填する。結合を達成するのに要するガラスの加熱中に空気が熱を吸収することにより、空気が膨脹する。結合が達成された後、空気は冷却され、大気圧よりも低くなる。
【図面の簡単な説明】
【００３８】
【図１】本発明の放電ランプの一実施例をその一部を切欠して示す側面図である。
【図２】図１の変形例を示す側面図である。
【図３】本発明の放電ランプの他の実施例を示す側面図である。
【符号の説明】
【００３９】
１  光源
１′  ランプ容器
２，３  頸状部
４，５  電流供給導体
６  電極
７  接続導体
８  絶縁体
９  放電空間
１０  封じ部
２０，２０′，５０  管状外側エンベロープ
２１  小径部分
２２  衝合部材
３０，４０  口金
３１，４１  蓋
３２，３９  リム
３５，３６，４５，４６  接点部材
３７  ピン
３８  スタッド
４２  溝
４３  シェル
５１，５２  小径部分
５３  金属套管
【図１】
2006054195.tif 000004
【図２】
2006054195.tif 000005
【図３】
2006054195.tif 000006